(57)【要約】【課題】靴底洗浄装置において洗浄効果を向上することのできる技術を提供する。【解決手段】洗浄水を貯留する水槽９と、水槽９の上部に設けられ、靴を載せられるグレーチング６と、グレーチング６の下方で設けられ、グレーチング６の開口部から上方にブラシ４が突出可能に水平軸を中心に揺動可能に支持されるブラシ板５と、ブラシ板５を揺動可能とする駆動部と、水槽９の縁を跨ぐアーム体１０を有する。アーム体１０の一端部は水槽９内でブラシ板５と固定され、アーム体１０の他端部は水槽９外で水平軸たる支点ピン１２に支持され、アーム体１０は支点ピン１２を中心に揺動する。【選択図】図４
2010082085.tif 000002
【特許請求の範囲】
【請求項１】
洗浄水を貯留する水槽と、
前記水槽の上部に設けられ、靴を載せられる網目体と、
前記網目体の下方で設けられ、前記網目体の開口部から上方に繊維体が突出可能に水平軸を中心に揺動可能に支持されるブラシ板と、
前記ブラシ板を揺動可能とする駆動部とを有することを特徴とする靴底洗浄装置。
【請求項２】
請求項１記載の靴底洗浄装置において、
前記水槽の縁を跨ぐアーム体を有し、
前記アーム体の一端部は前記水槽内で前記ブラシ板と固定され、
前記アーム体の他端部は前記水槽外で水平軸たる支点ピンに支持され、
前記アーム体は前記支点ピンを中心に揺動することを特徴とする靴底洗浄装置。
【請求項３】
請求項１または２記載の靴底洗浄装置において、
前記ブラシ板を複数有しており、
前記複数のブラシ板が平行に配設されており、
前記駆動部は前記複数のブラシ板を揺動することを特徴とする靴底洗浄装置。
【請求項４】
請求項１〜３のいずれか一項に記載の靴底洗浄装置において、
前記ブラシ板が水平軸を中心に揺動して傾いた際、低位側の前記繊維体が前記洗浄水中に浸漬されることを特徴とする靴底洗浄装置。
【請求項５】
請求項１〜４のいずれか一項に記載の靴底洗浄装置において、
前記ブラシ板が交換可能であることを特徴とする靴底洗浄装置。
【請求項６】
請求項１〜５のいずれか一項に記載の靴底洗浄装置において、
前記駆動部はクランク機構を有しており、
前記クランク機構を介して前記ブラシ板が揺動することを特徴とする靴底洗浄装置。
【発明の詳細な説明】
【技術分野】
【０００１】
本発明は、靴底洗浄装置に関し、特に、洗浄水を含ませたブラシを揺動させて靴底の汚れを取り除く靴底洗浄装置に適用して有効な技術に関する。
【背景技術】
【０００２】
例えば、食品製造工場などの食品を調理、加工する現場においては、無菌環境で製品製造や調理を行うために様々な衛生管理がなされている。このため、入室時に室外で汚染した入室者の靴底の汚れを取り除くことも重要事項の一つであり、衛生管理された部屋への入室の際には、その入り口に設置されたマットや靴底清掃装置によって、靴底の汚れが取り除かれている。
【０００３】
靴底清掃装置に関しては、特開２００４−２４６２３号公報（特許文献１）に、ブラシ板が水平方向に保持されたまま往復揺動すると共に上下動を行うため、そのブラシ板に設けられたブラシが靴底の溝に入り込むことによって洗浄する靴底洗浄装置が開示されている。
【０００４】
また、特許第３５４３０３３号（特許文献２）に、靴底の汚れを効率よく取り除くため、水平に振動するブラシ板により洗浄液に浸漬した靴底をこすりながら洗浄する靴底洗浄装置が開示されている。
【特許文献１】特開２００４−２４６２３号公報
【特許文献２】特許第３５４３０３３号
【発明の開示】
【発明が解決しようとする課題】
【０００５】
前記特許文献１、２で開示された靴底洗浄装置のように、ブラシ板に設けられたブラシによって靴底を洗浄する場合、靴底洗浄装置の洗浄回数が多くなると、ブラシが摩耗してブラシの長さが短くなり、あるいはブラシが寝てきてしまう。これにより、靴底の溝へのブラシの毛が十分に入り込まなくなり、洗浄効果が低下してしまう。したがって、ブラシを用いた靴底洗浄装置においてはブラシを交換する必要が生じる。
【０００６】
また、前記特許文献１、２で開示された靴底洗浄装置では、人間が靴を履いた状態でブラシ板の上方に設けられたグレーチング（あるいはスノコ）を足置き部にして、ブラシが動くことによって靴底の汚れが取り除かれる。グレーチングは人間が安定して立つことを考慮した場合、ある程度の面積を確保する必要がある。このため、ブラシ板全体の面積もグレーチングと同程度とする必要がある。グレーチングと同程度の大きさのブラシ板の場合、その面内におけるブラシの摩耗にムラが生じ、ブラシ板のある領域では洗浄効果を有するのにも拘わらず、全体として洗浄効果を維持するためブラシ板を取り替える必要が生じる。したがって、ブラシ板全体の寿命が短いものとなってしまう。
【０００７】
本発明の目的は、靴底洗浄装置において洗浄効果を向上することのできる技術を提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
本発明における靴底洗浄装置は、洗浄水を貯留する水槽と、前記水槽の上部に設けられ、靴を載せられる網目体と、前記網目体の下方で設けられ、前記網目体の開口部から上方に繊維体が突出可能に水平軸を中心に揺動可能に支持されるブラシ板と、前記ブラシ板を揺動可能とする駆動部とを有することを特徴とする。
【発明の効果】
【００１１】
本願において開示される発明のうち、代表的なものによって得られる効果を簡単に説明すれば以下のとおりである。
【００１２】
本発明によれば、前記ブラシ板が水平軸を中心に傾いて揺動するので、洗浄効果を向上することができる。
【発明を実施するための最良の形態】
【００１３】
以下、本発明の実施の形態を図面に基づいて詳細に説明する。なお、実施の形態を説明するための全図において、同一の機能を有する部材には同一の符号を付し、その繰り返しの説明は省略する場合がある。また、以下の実施の形態では、特に必要なときを除き、同一または同様な部分の説明を原則として繰り返さない。
【００１４】
まず、本実施の形態における靴底洗浄装置１の構成について図面を参照して説明する。図１は靴底洗浄装置１を模式的に示す斜視図である。なお、複数のブラシ４が占有する領域が洗浄部であり、靴が配置されたときに洗浄することができる面（洗浄面）である。
【００１５】
靴底洗浄装置１は、筐体２と、収納カバー３ａ、３ｂと、表面に複数のブラシ（繊維体）４が形成された平面矩形状のブラシ板５と、洗浄の際、靴を履いた人間の足（靴）が載せられる網目体であるグレーチング６および人間が掴むことのできる手摺り７とを有している。筐体２は平面矩形状で四辺を外枠で囲まれているものである。また、収納カバー３ａ、３ｂはモータ２０、揺動体１６などの駆動部を収納するために設けられているものである。この駆動部はブラシ板５を揺動可能とするものである。また、手摺り７はコの字状となっており、その両端部が、筐体２の端部側で接続されている。この手摺り７は、例えば接続された筐体２の端部を支点として洗浄部側に倒すことによって収納することができる。このように手摺り７を収納することで靴底洗浄装置１はコンパクトになり持ち運びが容易となる。また、ブラシ板５はグレーチング６の下方で設けられ、グレーチング６の開口部から上方にブラシ４が突出可能に水平軸を中心に揺動可能に支持されている。さらに、この手摺り７にはスイッチ８が設けられており、スイッチ８は洗浄を開始するためのスタートボタン８ａ、停止するためのストップボタン８ｂを有している。
【００１６】
この筐体２の内部では、５つのブラシ板５およびその上方にグレーチング６が設けられている。ブラシ板５の表面（人間の足が配置される側の面）では、複数のブラシ４がグレーチング６の開口部（マス）から突出するように形成されている。人間が靴を履いた状態でブラシ板５の上方に設けられたグレーチング６を足置き部にして、ブラシ４が動くことによって靴底の汚れが取り除かれる。グレーチング６は人間が安定して立つことを考慮した場合、ある程度の面積を確保する必要がある。このため、本実施の形態では、５つのブラシ板５の全体の面積とグレーチング６の面積とは同程度となるようにしている。
【００１７】
図２は本実施の形態における靴底洗浄装置１の要部を模式的に示す斜視図であり、ブラシ板５の周辺の内部構造が示されている。図３は図２に示す内部構造の平面図であり、図４は図３のＡ−Ａ線における側面図、図５は図３のＢ−Ｂ線における側面図である。なお、図２では、説明を解りやすくするために、５つあるブラシ板５のうち１つを取り除いている状態を示している。また、図４および図５では、図１で示した筐体２も併せて示している。
【００１８】
靴底洗浄装置１の内部では、平面矩形状で四辺を外枠で囲まれた水槽９が筐体２内に例えばネジによって固定されている。この水槽９は靴底の汚れを有効に取り除くために洗浄水を貯留することができるものである。グリーチング６はこの水槽９の上部に設けられている。また、筐体２内であって、水槽９の外に配置されて支持体１１が例えばネジによって固定されている。この支持体１１はアーム体１０を支持することができるものである。
【００１９】
水槽９内には平面矩形状の５つのブラシ板５がそれぞれ短手方向に端部を揃えて、所定の間隔で配設されている。本実施の形態では、グレーチング６の開口部にブラシ板５に形成されているブラシ４が位置するようにしている。すなわち、本実施の形態では、平面矩形状の複数のブラシ板５を所定の間隔で平行に配設し、ブラシ板５の表面に形成されたブラシ４によって面で靴底を洗浄するものである。このため、例えば、回転ブラシのように接点で靴底を洗浄する靴底洗浄装置と比較して洗浄効果が高い。
【００２０】
このように水槽９内には平面矩形状のブラシ板５が５つ収納されている。そのブラシ板５の長手方向で対向する両端部には、アーム体１０が固定されている。すなわちアーム体１０はブラシ板５を保持する。このアーム体１０は水槽９の縁を跨ぐようなコの字状の形状となっており、水槽９の内部にはアーム体１０の一端部が位置され、水槽９の外部にはアーム体１０の他端部が位置する。アーム体１０は、コの字状の部材１０ａと、矩形状の部材１０ｂとからなり、部材１０ａと部材１０ｂとは固定ネジ１４によって接続されている。すなわちネジ（固定ネジ１４）によって部材１０ａと部材１０ｂとは固定される関係となり、アーム体１０全体で水槽９の縁を跨ぐような形状となっている。このため、アーム体１０は水槽９を貫通することなく、ブラシ板５を可動（揺動）することができる。このアーム体１０は駆動部を構成する揺動体１６によって揺動される。
【００２１】
ブラシ板５の長手方向の端部と、水槽９の内部に配置されるアーム体１０の一端部とは、固定ネジ１５によって接続されている（図５参照）。すなわちネジ（固定ネジ１５）によってブラシ板５とアーム体１０とは固定される関係となる。本実施の形態では、水槽９の内に、水槽９の底面とブラシ板５の裏面が対向して位置している。
【００２２】
一方、アーム体１０の他端部は、筐体２に固定された支持体１１に支点ピン１２によって接続されている（図４参照）。すなわちピン（支点ピン１２）によって支持体１１とアーム体１０とは回動する関係となる。このためアーム体１０の他端部は水槽９外で水平軸たる支点ピン１２に支持され、アーム体１０は支点ピン１２を中心に揺動する。
【００２３】
また、水槽９の外部のアーム体１０（部材１０ｂの中間部となる）では揺動体１６と駆動ピン１３によって接続されている。すなわちピン（駆動ピン１３）によってアーム体１０と揺動体１６とは回動する関係となる。揺動体１６は、矩形状の部材１６ａと、矩形状の部材（クランクアーム）１６ｂとからなり、部材１６ａと部材１６ｂとは駆動ピン１３によって接続されている。すなわちピン（駆動ピン１３）によって部材１６ａと部材１６ｂとは回動する関係となる。
【００２４】
このような構成により、本実施の形態では、アーム体１０（部材１０ｂ）の他端部と接続された支持体１１を支点としてアーム体１０が揺動する。これにより、アーム体１０の一端部と固定されたブラシ板５の端部を支点とし、そのブラシ板５の両側がシーソーのように交互に上下して、すなわち靴底にブラシ４が強弱をつけて当たるので、靴底洗浄装置において洗浄効果を向上することができる。
【００２５】
また、本実施の形態では、ブラシ板５の両側が交互に上下するので、例えば同一方向に回転する回転ブラシや、単にブラシが上下動する場合と比較して、ブラシ４が寝る方向が一方向にならないので、靴底洗浄装置１のブラシ板５の取り替えコストを低減することができる。
【００２６】
また、本実施の形態では、アーム体１０の一端部とブラシ板５とはネジで接続されており、アーム体１０の他端部と支持体１１とはピンで接続されており、アーム体１０の中間部と揺動体１６とはピンで接続されているので、ブラシ板５の取り外しが容易である。このように、５つのブラシ板５はそれぞれが交換可能である。
【００２７】
また、本実施の形態では、ブラシ板５を複数有しており、その複数のブラシ板５のそれぞれを保持するアーム体１０も複数ある。さらに、アーム体１０は揺動体１６によって連結されている。これにより、靴底の汚れを取り除くために複数のブラシ板５を連動して揺動することができる。
【００２８】
例えば、特許文献１の図２に記載されているように、一体型のブラシ板５を用いて靴底を洗浄することができる。しかしながら、洗浄回数が多くなると、ブラシが摩耗してブラシの長さが短くなり、あるいはブラシが寝てきてしまう。これにより、靴底の溝へのブラシの毛が十分に入り込まなくなり、洗浄効果が低下してしまう。洗浄面を単一のブラシ板で確保する場合、その面内におけるブラシの摩耗にムラが生じ、ブラシ板のある領域では洗浄効果を有するのにも拘わらず、全体として洗浄効果を維持するためブラシ板を取り替える必要が生じる。したがって、ブラシ板全体の寿命が短いものとなってしまう。
【００２９】
しかしながら、本実施の形態では、複数のブラシ板５で洗浄面を構成しているので、あるブラシ板５が摩耗により洗浄効果が低下した場合、そのブラシ板５だけを摩耗していない新しいブラシ板５と取り替えれば良い。これにより、靴底洗浄装置１のブラシ板５の取り替えコストを低減することができる。
【００３０】
また、本実施の形態では、靴底洗浄装置１の内部で、筐体２に固定されている水槽９の上部に配置された水位調整部２１ａを有するオーバーフロー管２１が設けられている。また、水槽９の底部には手動バルブ２３によって水槽９に貯留されている洗浄水を排出する排出管２２が設けられている。また、水槽９の中部には手動バルブ２５によって水槽９に洗浄水を給水する給水管２４が設けられている。
【００３１】
靴底洗浄装置１の内部では、さらに、モータ２０が筐体２に例えばネジによって固定されている。このモータ２０の回転部２０ａと、揺動体１６の一端部とは駆動ピン１７によって接続されている。すなわちピン（駆動ピン１７）によってモータ２０（回転部２０ａ）と揺動体１６とは回動する関係となる。駆動ピン１７はモータ２０の回転軸の軸心から偏心した位置に設けられている。これら回転部２０ａ、駆動ピン１７、部材１６ｂによってクランク機構を有する駆動部を構成する。平行に配設された５つのブラシ板５は揺動体１６によって連結されているので、クランク機構を介して駆動部は連結された５つのブラシ板５を一斉に揺動する。
【００３２】
複数のブラシ４は、例えば、所定の長さに切断された多数のナイロン糸が密集したものが列を揃えてブラシ板５に植え付けられている。ブラシ板５の上方に位置してグレーチング６が水槽９に固定されるようになっている。グレーチング６は、格子状に形成されており、その開口部にはブラシ板５のブラシ４が突出して配置されるようになっている。
【００３３】
水槽９内には、洗浄水（例えば、水）が貯留することができる。水槽９内に貯留された洗浄水の水面は、グレーチング６の上面よりわずかに下がった位置（水位）となるように、給水された洗浄水がオーバーフローすることによって調整している。すなわち、常に所定の水位を確保することができる。水面をこの所定の水位としておくと、ブラシ板５のブラシ４が洗浄水に浸漬した状態になり、ブラシ４が靴底を洗浄する際に洗浄水が靴底に十分供給されて洗浄効果を向上することができる。洗浄水には水の他に、汚れに適した洗剤や殺菌剤を加えた洗浄水を用いることで、洗浄効果をより向上することができる。
【００３４】
次に、複数のブラシ４を有するブラシ板５の動作について図面を参照して説明する。図６は複数のブラシ４を有するブラシ板５の動作を説明するための図であり、（ａ）、（ｂ）、（ｃ）、（ｄ）はその順で一連のブラシ板５の動作を示している。また、図７は靴３０の底を洗浄する動作を説明するための図であり、（ａ）、（ｂ）、（ｃ）はその順で一連の洗浄動作を示している。また、図８はブラシ板５の動作によって、ブラシ４と水面との関係を説明するための図であり、（ａ）、（ｂ）、（ｃ）はそれぞれ図７の（ａ）、（ｂ）、（ｃ）に対応している。
【００３５】
靴３０を洗浄するには、靴３０をグレーチング６上に載せた後、スイッチ８（図１参照）のスタートボタン８ａを投入してモータ２０を回転させる。モータ２０が回転すると、クランク機構を介して揺動体１６が回転に同期して往復揺動を行うようになる。この往復揺動に従動してアーム体１０は往復揺動するが、アーム体１０の端部が支持体１１に軸支されているため、アーム体１０は支点ピン１２を中心に弧を描くように往復揺動する。なお、図４にもモータ２０の回転方向と、揺動体１６が往復揺動する状態（波線で示す）、アーム体１０が弧を描くように往復揺動する状態（波線で示す）が示されている。
【００３６】
往復揺動するアーム体１０の端部（支持体１１と接続されている端部とは反対の端部）はブラシ板５の短手の中心部で固定されている。このため、ブラシ板５はアーム体１０の往復揺動に従動して、支点ピン１２を中心に弧を描くように往復揺動する。例えば、図７および図８に示すように、ブラシ４を有するブラシ板５が図面の左右方向に傾くように運動する。すなわち、支点ピン１２を支点としてその両側がシーソーのように交互に上下に揺動する。
【００３７】
このブラシ板５の弧を描くような往復揺動によって、靴３０の底（靴底）がブラシ４で擦られて汚れが取り除かれる。例えば、ブラシが単に上下方向に動いて靴底に当たる場合や、回転ブラシのように一方向に動いて靴底に当たる場合と比較して、本実施の形態では、靴底にブラシ４が左右方向に弧を描くように往復して当たるので、ブラシ４が寝る、倒れるなどの摩耗を抑制することができる。このため、靴底洗浄装置１では、ブラシ４の摩耗を抑制して、洗浄効果を向上することができる。
【００３８】
また、本実施の形態では、ブラシ板５が最大に傾いたときに（図８（ａ）、（ｃ）参照）、洗浄水内にブラシ４の先端部が水面より下となる（すなわち浸漬する）ように水槽９の水位を調整している。すなわち、ブラシ板５が水平軸を中心に揺動して傾いた際、低位側のブラシ４が洗浄水中に浸漬される。このため、ブラシ板５の往復揺動によってブラシ４が水面上に現れたとき、ブラシ４は洗浄水を十分に含んで靴底を有効に洗浄することができる。また、ブラシ板５の往復揺動によって、ブラシ４が水面下に沈んだとき、靴底の汚染物が付着したブラシ４の汚れを洗浄水で有効に洗い落とすことができる。また、ブラシ４を有するブラシ板５の往復揺動によって、水面を波立たせることができるので、靴底に洗浄水を有効に当てることができる。このように、本実施の形態における靴底洗浄装置１は、洗浄水を有効に利用して洗浄効果を向上することができる。
【００３９】
次に、靴底洗浄装置１を用いて靴底を洗浄する方法について図面を参照して説明する。図９は本実施の形態における靴底洗浄装置１による靴底を洗浄する方法を示すフロー図である。
【００４０】
まず、給水管２４の給水バルブ（手動バルブ２５）を手動で開いて、水槽９に洗浄水を入れる（ステップＳ１０）。次いで、水槽９に洗浄水を入れ続け、オーバーフロー管２１により排水する（ステップＳ２０）。オーバーフローによる排水は水位調整部２１ａによって所定の水位となるように調整される。次いで、給水バルブ（手動バルブ２５）を手動で閉めて、給水管２４から洗浄水の給水を停止する（ステップＳ３０）。
【００４１】
続いて、人間が洗浄部（グレーチング６）に乗り（ステップＳ４０）、スタートボタン８ａを手動でオンとして（ステップＳ５０）、洗浄をスタートする（ステップＳ６０）。洗浄時間はタイマーで設定している。このため、自動でタイムアウトすれば（ステップＳ７０）、洗浄はストップする（ステップＳ８０）。あるいは、人間がストップボタン８ｂをオンさせて（ステップＳ７１）、洗浄をストップしても良い（ステップＳ８０）。また、収納カバー３ａ、３ｂが開くような非常時の場合（ステップＳ７２）、洗浄をストップさせる（ステップＳ８０）。なお、繰り返しあるいは再洗浄（ステップＳ６０に戻る）を行うことも可能である。
【００４２】
続いて、靴底の汚れが取り除かれた後、洗浄部から降りる（ステップＳ９０）。その後、次の人が洗浄を行うことも可能である。次いで、排水管２２の排水バルブ（手動バルブ２３）を手動で開いて、水槽９から洗浄水を排出し（ステップＳ１００）、排水バルブを閉める（ステップＳ１１０）。
【００４３】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００４４】
例えば、前記実施の形態では、ブラシ板に高さを同程度としたブラシを形成した場合について説明したが、長さが不均一なブラシを用いた場合においても適用することができる。この場合、例えば隣接するブラシ板の間に靴が配置されたときに有効である。隣接するブラシ板の間にはブラシが配置されていないが、本発明の靴底洗浄装置のブラシを有するブラシ板が弧を描くように往復揺動し、ブラシ板が傾いたときに靴底にブラシが届くからである。
【００４５】
また、例えば、前記実施の形態では、靴底洗浄装置で人間の足置き部としてグレーチング（格子状の溝蓋）を用いた場合について説明したが、網目状の溝蓋を用いた場合においても適用することができる。
【００４６】
また、例えば、人間がグレーチングに乗ったことを例えば光で検知する検知器を設けても良い。
【産業上の利用可能性】
【００４７】
本発明は、靴底洗浄装置に関し、特に、ブラシを揺動させて靴底の汚れを取り除く靴底洗浄装置に幅広く利用されるものである。本発明における靴底洗浄装置は、汚れ、埃、汚染物質などを排除する必要がある食品製造工場、工事現場、半導体製造工場、スポーツ施設に用いることができる。
【図面の簡単な説明】
【００４８】
【図１】本発明の実施の形態における靴底洗浄装置を模式的に示す斜視図である。
【図２】図１に示す靴底洗浄装置の要部を模式的に示す斜視図であり、ブラシ板の周辺の内部構造が示されている。
【図３】図２に示す内部構造の平面図である。
【図４】図３のＡ−Ａ線における側面図である。
【図５】図３のＢ−Ｂ線における側面図である。
【図６】複数のブラシを有するブラシ板の動作を説明するための図であり、（ａ）、（ｂ）、（ｃ）、（ｄ）はその順で一連のブラシ板の動作を示している。
【図７】靴底の洗浄動作を説明するための図である。
【図８】ブラシ板の動作によって、ブラシと水面との関係を説明するための図であり、（ａ）、（ｂ）、（ｃ）はそれぞれ図７の（ａ）、（ｂ）、（ｃ）に対応している。
【図９】本発明の実施の形態における靴底洗浄装置による靴底を洗浄する方法を示すフロー図である。
【符号の説明】
【００４９】
１  靴底洗浄装置
２  筐体
３ａ、３ｂ  収納カバー
４  ブラシ（繊維体）
５  ブラシ板
６  グレーチング（網目体）
７  手摺り
８  スイッチ
８ａ  スタートボタン
８ｂ  ストップボタン
９  水槽
１０  アーム体
１０ａ、１０ｂ  部材
１１  支持体
１２  支点ピン
１３  駆動ピン
１４  固定ネジ
１５  固定ネジ
１６  揺動体
１６ａ、１６ｂ  部材
１７  駆動ピン
２０  モータ
２０ａ  回転部
２１  オーバーフロー管
２１ａ  水位調整部
２２  排出管
２３  手動バルブ
２４  給水管
２５  手動バルブ
３０  靴
【図１】
2010082085.tif 000003
【図２】
2010082085.tif 000004
【図３】
2010082085.tif 000005
【図４】
2010082085.tif 000006
【図５】
2010082085.tif 000007
【図６】
2010082085.tif 000008
【図７】
2010082085.tif 000009
【図８】
2010082085.tif 000010
【図９】
2010082085.tif 000011